【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
電話帳や短縮ダイヤルやワンタッチダイヤルの電話番号を記憶する電話番号記憶手段と、指定した通信事業者の識別番号を記憶する識別番号記憶手段と、前記電話番号記憶手段に記憶されている前記電話番号を読み出し、携帯電話番号を抽出する携帯電話番号抽出手段と、前記携帯電話番号に前記識別番号を挿入する挿入位置を検出する位置検出手段と、前記位置検出手段が検出した前記挿入位置に前記識別番号を挿入する挿入手段と、電話番号の読出し、携帯電話番号の抽出、識別番号の挿入位置の検出、識別番号の挿入、識別番号を挿入した携帯電話番号の記憶および全ての携帯電話番号に識別番号を挿入して記憶するシーケンスを実行する携帯電話番号制御手段と、前記電話番号の状態を表示する表示手段と、入力手段と、を備え、全ての携帯電話番号に識別番号を一括して挿入して記憶することを特徴とする固定電話機。
【請求項２】
電話帳や短縮ダイヤルやワンタッチダイヤルの電話番号を記憶する電話番号記憶手段と、指定した通信事業者の識別番号を記憶する識別番号記憶手段と、ダイヤル発信時に、該当する電話番号を読み出し、一時記憶するダイヤル番号記憶手段と、ダイヤル番号が前記携帯電話番号であることを抽出する携帯電話番号抽出手段と、前記携帯電話番号に前記識別番号を挿入する挿入位置を検出する位置検出手段と、前記位置検出手段が検出した前記挿入位置に前記識別番号を挿入する挿入手段と、ダイヤル番号の記憶、携帯電話番号の抽出、識別番号の挿入位置の検出、識別番号の挿入および識別番号を付加したダイヤル番号を電話回線に送出するシーケンスを実行するダイヤル発信制御手段と、前記ダイヤル番号の状態を表示する表示手段と、入力手段と、を備え、携帯電話番号のダイヤル発信時に、識別番号を付加して発信することを特徴とする固定電話機。
【請求項３】
前記識別番号記憶手段は、既に挿入された識別番号を削除するための削除番号を記憶する削除番号記憶領域を有し、前記位置検出手段が前記識別番号を挿入する前記挿入位置を検出した時、識別番号が既に存在する場合には、前記既に挿入された識別番号と前記削除番号とを比較する比較手段と、前記既に挿入された識別番号と前記削除番号とが一致する場合には、前記既に挿入された識別番号を削除する削除手段と、を備えたことを特徴とする請求項１記載の固定電話機。
【請求項４】
前記削除番号記憶領域は、前記携帯電話番号制御手段によって全ての前記携帯電話番号に前記識別番号を挿入して記憶するシーケンスが実行された後に、前記挿入された識別番号を削除番号として記憶することを特徴とする請求項３記載の固定電話機。
【請求項５】
前記位置検出手段が前記識別番号を挿入する前記挿入位置を検出した時、識別番号が既に存在する場合には、既に挿入された識別番号と指定した識別番号とを比較する番号比較手段と、前記既に挿入された識別番号と前記指定した識別番号とが異なる場合には、前記既に挿入された識別番号を削除する識別番号削除手段と、を備えたことを特徴とする請求項１記載の固定電話機。
【請求項６】
前記携帯電話番号抽出手段は、前記携帯電話番号の最終桁から若番方向へ１１桁の数字列を検出するとともに、１１桁目から９桁目に前記携帯電話番号の特有な数字列（０９０または０８０）および８行目に０以外の数字を検出することを特徴とする請求項１または請求項２記載の固定電話機。
【請求項７】
前記位置検出手段は、複数の特番数字列を付加して記憶された前記携帯電話番号の最初の桁から前記複数の特番数字列を検出し、前記挿入位置を前記特番数字列の最終桁の次桁から、前記携帯電話番号抽出手段が検出した前記携帯電話番号の１１桁目の前桁までに決定することを特徴とする請求項１、請求項２、請求項３または請求項５記載の固定電話機。
【請求項８】
前記位置検出手段は、前記既に挿入された識別番号が存在しない場合には、前記特番数字列の最終桁の次桁と前記携帯電話番号の１１桁目が一致することを検出し、前記挿入位置を前記特番数字列の最終桁と前記携帯電話番号の１１桁目との間に決定することを特徴とする請求項７記載の固定電話機。
【請求項９】
電話帳や短縮ダイヤルやワンタッチダイヤルに記憶されている携帯電話番号に通信事業者の識別番号を一括して挿入する固定電話機の識別番号付加方法であって、
記憶された電話番号を読み出すステップＳ１と、
電話番号の最終桁から若番方向へ１１桁の数字列があるか否かを判定するステップＳ２と、
数字列が１１桁ある場合には、１１桁目から９桁目の数字列が０９０または０８０で、かつ８桁目が０以外の数字であるか否かを判定するステップＳ３と、
数字列が０９０または０８０で、かつ８桁目が０以外の数字である場合には、携帯電話番号として認識するステップＳ４と、
携帯電話番号の最初の桁から複数の特番数字列があるか否かを判定するステップＳ５と、
特番数字列がある場合には、特番数字列の最終桁の次桁から、携帯電話番号の最終桁から１１桁目の前桁までを識別番号の挿入位置と決定するステップＳ６と、
特番数字列がない場合には、携帯電話番号の最終桁から１１桁目の前列までを識別番号の挿入位置と決定するステップＳ１１と、
識別番号を挿入位置に挿入するステップＳ７と、
識別番号を挿入した携帯電話番号を記憶するステップＳ８と、
全ての電話番号に処理を実行したか否かを判断するステップＳ９と、
全ての処理が実行された後に、識別番号を削除番号として記憶するステップＳ１０と、
を備えたことを特徴とする固定電話機の識別番号付加方法。
【請求項１０】
ステップＳ７において、
既に挿入された識別番号がある場合には、既に挿入された識別番号と削除番号とを比較するサブステップＳＵＢ１と、
既に挿入された識別番号と削除番号が一致するか否かを判定するサブステップＳＵＢ２と、
既に挿入された識別番号と削除番号が一致する場合には、既に挿入された識別番号を削除するサブステップＳＵＢ３と、
を備えたことを特徴とする請求項９記載の固定電話機の識別番号付加方法。
【請求項１１】
ステップＳ７において、
既に挿入された識別番号がある場合には、既に挿入された識別番号と指定した識別番号とを比較するサブステップＳＵＢ４と、
既に挿入された識別番号と指定した識別番号が異なるか否かを判定するサブステップＳＵＢ５と、
既に挿入された識別番号と指定した識別番号が異なる場合には、既に挿入された識別番号を削除するサブステップＳＵＢ６と、
を備えたことを特徴とする請求項９記載の固定電話機の識別番号付加方法。
【請求項１２】
電話帳や短縮ダイヤルやワンタッチダイヤルに記憶されている携帯電話番号のダイヤル発信時に、識別番号を付加して発信する固定電話機の識別番号付加方法であって、
該当する電話番号を読み出し、一時記憶するステップＰ１と、
電話番号の最終桁から若番方向へ１１桁の数字列があるか否かを判定するステップＰ２と、
数字列が１１桁ある場合には、１１桁目から９桁目の数字列が０９０または０８０で、かつ８桁目が０以外の数字であるか否かを判定するステップＰ３と、
数字列が０９０または０８０で、かつ８桁目が０以外の数字である場合には、携帯電話番号として認識するステップＰ４と、
携帯電話番号の最初の桁から複数の特番数字列があるか否かを判定するステップＰ５と、
特番数字列がある場合には、特番数字列の最終桁の次桁から、携帯電話番号の最終桁から１１桁目の前桁までを識別番号の挿入位置と決定するステップＰ６と、
特番数字列がない場合には、携帯電話番号の最終桁から１１桁目の前列までを識別番号の挿入位置と決定するステップＰ９と、
識別番号を挿入位置に付加するステップＰ７と、
識別番号を付加した携帯電話番号を電話回線に送出するステップＰ８と、
を備えたことを特徴とする固定電話機の識別番号付加方法。
【請求項１３】
指定した通信事業者の識別番号を記憶する識別番号記憶手段と、ダイヤル発信時に、ダイヤル番号が携帯電話番号であることを抽出する携帯電話番号抽出手段と、前記携帯電話番号に前記識別番号を挿入する挿入位置を検出する位置検出手段と、前記位置検出手段が検出した前記挿入位置に前記識別番号を挿入する挿入手段と、携帯電話番号の抽出、識別番号の挿入位置の検出、識別番号の挿入および識別番号を付加したダイヤル番号を電話回線に送出するシーケンスを実行するダイヤル発信制御手段と、を備え、携帯電話番号のダイヤル発信時に、識別番号を付加して発信することを特徴とする固定電話機。
【手続補正２】
【補正対象書類名】明細書
【補正対象項目名】００３３
【補正方法】変更
【補正の内容】
【００３３】
この発明に係る固定電話機の識別番号付加方法は、電話帳や短縮ダイヤルやワンタッチダイヤルに記憶されている携帯電話番号のダイヤル発信時に、識別番号を付加して発信する固定電話機の識別番号付加方法であって、該当する電話番号を読み出し、一時記憶するステップＰ１と、電話番号の最終桁から若番方向へ１１桁の数字列があるか否かを判定するステップＰ２と、数字列が１１桁ある場合には、１１桁目から９桁目の数字列が０９０または０８０で、かつ８桁目が０以外の数字であるか否かを判定するステップＰ３と、数字列が０９０または０８０で、かつ８桁目が０以外の数字である場合には、携帯電話番号として認識するステップＰ４と、携帯電話番号の最初の桁から複数の特番数字列があるか否かを判定するステップＰ５と、特番数字列がある場合には、特番数字列の最終桁の次桁から、携帯電話番号の最終桁から１１桁目の前桁までを識別番号の挿入位置と決定するステップＰ６と、特番数字列がない場合には、携帯電話番号の最終桁から１１桁目の前列までを識別番号の挿入位置と決定するステップＰ９と、識別番号を挿入位置に付加するステップＰ７と、識別番号を付加した携帯電話番号を電話回線に送出するステップＰ８とを備えたので、電話帳や短縮ダイヤルやワンタッチダイヤルのダイヤル発信時に、携帯電話番号に自動的に通信事業者の識別番号を付加してダイヤル発信することができる。
また、この発明に係る固定電話機は、指定した通信事業者の識別番号を記憶する識別番号記憶手段と、ダイヤル発信時に、ダイヤル番号が携帯電話番号であることを抽出する携帯電話番号抽出手段と、携帯電話番号に識別番号を挿入する挿入位置を検出する位置検出手段と、位置検出手段が検出した挿入位置に識別番号を挿入する挿入手段と、携帯電話番号の抽出、識別番号の挿入位置の検出、識別番号の挿入および識別番号を付加したダイヤル番号を電話回線に送出するシーケンスを実行するダイヤル発信制御手段とを備え、携帯電話番号のダイヤル発信時に、識別番号を付加して発信することを特徴とする。
この発明に係る固定電話機は、指定した通信事業者の識別番号を記憶する識別番号記憶手段と、ダイヤル発信時に、ダイヤル番号が携帯電話番号であることを抽出する携帯電話番号抽出手段と、携帯電話番号に識別番号を挿入する挿入位置を検出する位置検出手段と、位置検出手段が検出した挿入位置に識別番号を挿入する挿入手段と、携帯電話番号の抽出、識別番号の挿入位置の検出、識別番号の挿入および識別番号を付加したダイヤル番号を電話回線に送出するシーケンスを実行するダイヤル発信制御手段とを備え、携帯電話番号のダイヤル発信時に、識別番号を付加して発信するので、ダイヤル発信時に、携帯電話番号に自動的に通信事業者の識別番号を付加してダイヤル発信することができる。
【手続補正３】
【補正対象書類名】明細書
【補正対象項目名】００４５
【補正方法】変更
【補正の内容】
【００４５】
また、この発明に係る固定電話機の識別番号付加方法は、電話帳や短縮ダイヤルやワンタッチダイヤルに記憶されている携帯電話番号のダイヤル発信時に、識別番号を付加して発信する固定電話機の識別番号付加方法であって、該当する電話番号を読み出し、一時記憶するステップＰ１と、電話番号の最終桁から若番方向へ１１桁の数字列があるか否かを判定するステップＰ２と、数字列が１１桁ある場合には、１１桁目から９桁目の数字列が０９０または０８０で、かつ８桁目が０以外の数字であるか否かを判定するステップＰ３と、数字列が０９０または０８０で、かつ８桁目が０以外の数字である場合には、携帯電話番号として認識するステップＰ４と、携帯電話番号の最初の桁から複数の特番数字列があるか否かを判定するステップＰ５と、特番数字列がある場合には、特番数字列の最終桁の次桁から、携帯電話番号の最終桁から１１桁目の前桁までを識別番号の挿入位置と決定するステップＰ６と、特番数字列がない場合には、携帯電話番号の最終桁から１１桁目の前列までを識別番号の挿入位置と決定するステップＰ９と、識別番号を挿入位置に付加するステップＰ７と、識別番号を付加した携帯電話番号を電話回線に送出するステップＰ８とを備えたので、電話帳や短縮ダイヤルやワンタッチダイヤルのダイヤル発信時に、携帯電話番号に自動的に通信事業者の識別番号を付加してダイヤル発信することができ、登録された全ての携帯電話番号について、固定発−携帯着の割安料金サービスを単純操作で受けられ、操作性ならびに利便性の向上を実現することができる。
さらに、この発明に係る固定電話機は、指定した通信事業者の識別番号を記憶する識別番号記憶手段と、ダイヤル発信時に、ダイヤル番号が携帯電話番号であることを抽出する携帯電話番号抽出手段と、携帯電話番号に識別番号を挿入する挿入位置を検出する位置検出手段と、位置検出手段が検出した挿入位置に識別番号を挿入する挿入手段と、携帯電話番号の抽出、識別番号の挿入位置の検出、識別番号の挿入および識別番号を付加したダイヤル番号を電話回線に送出するシーケンスを実行するダイヤル発信制御手段とを備え、携帯電話番号のダイヤル発信時に、識別番号を付加して発信するので、ダイヤル発信時に、携帯電話番号に自動的に通信事業者の識別番号を付加してダイヤル発信することができ、全ての携帯電話への発信について、固定発−携帯着の割安料金サービスを単純操作で受けられ、利便性の向上を実現することができる。